(57)【要約】【課題】オイル・汚れの拭き取り性能に優れ経済的なボウリングボール拭き具を提供する。【解決手段】ボウリングボールに付着した油、汚れを拭き取る可撓性を有するボウリングボール拭き具１であって、前記油、汚れを拭き取る拭き面部２１を備える拭き体１１と、手挿入部４５を備え、前記拭き体１１に着脱可能に連結する持ち手体３１と、前記拭き体１１と前記持ち手体３１とを着脱可能に連結する連結手段と、を備え、前記連結手段が面ファスナ、ラインファスナ、スナップボタン、ホック、マグネットのいずれか１種又は２種以上である。【選択図】図１
0003234353.tif 000002
【実用新案登録請求の範囲】
【請求項１】
ボウリングボールに付着した油、汚れを拭き取る可撓性を有するボウリングボール拭き具であって、
前記油、汚れを拭き取る拭き面部を備える拭き体と、
手挿入部を備え、前記拭き体に着脱可能に連結する持ち手体と、
前記拭き体と前記持ち手体とを着脱可能に連結する連結手段と、
を備えることを特徴とするボウリングボール拭き具。
【請求項２】
前記拭き面部の材質が、皮革、布、不織布、マイクロファイバークロスのいずれか１種であり、
前記連結手段が、面ファスナ、ラインファスナ、スナップボタン、ホック、マグネットのいずれか１種又は２種以上であることを特徴とする請求項１に記載のボウリングボール拭き具。
【請求項３】
前記拭き体は、平板状であり、一方の面に前記拭き面部を有し、他方の面に面ファスナを有し、
前記持ち手体は、平板状であり、一方の面に前記手挿入部を有し、他方の面に前記拭き体の面ファスナに着脱自在にくっつく面ファスナを有し、
前記拭き体の面ファスナと前記持ち手体の面ファスナとで前記連結手段を構成することを特徴とする請求項１に記載のボウリングボール拭き具。
【請求項４】
さらに可撓性調整材を備え、
前記可撓性調整材により可撓性が調整されていることを特徴とする請求項１から３のいずれか１項に記載のボウリングボール拭き具。
【考案の詳細な説明】
【技術分野】
【０００１】
本考案は、ボウリングボールに付着した油、汚れを拭き取るボウリングボール拭き具に関する。
【背景技術】
【０００２】
ボウリング場の各レーンの表面には、床面を保護・保守するとともにボールの曲がり具合などレーンコンディションを調整する目的でオイル（油）が塗布されている。このためボールを投じると表面にレーンに塗布されたオイル、さらには埃、ごみなど汚れが付着する。ボールに付着したオイル、汚れは投球に影響するため、従来より投球に先立ち返送されたボールの表面のオイル、汚れを拭き取ることが行われている。
【０００３】
通常、表面に付着するオイル、汚れを拭き取る用具（拭き具）としては、布製のタオル、マイクロファイバー製のクロス、合成繊維を使用したクロス、皮革（皮）製のクロスなどが使用されている（例えば特許文献１、特許文献２参照）。
【先行技術文献】
【特許文献】
【０００４】
【特許文献１】特開平９−２８６４６号公報
【特許文献２】実用新案登録第３０２２４０６号公報
【考案の概要】
【考案が解決しようとする課題】
【０００５】
拭き具は、繰り返し使用すると拭き具自身にオイルや汚れがたまり、オイル及び汚れの拭き取り性能が低下する。このためある程度使用すると拭き具を洗濯、乾燥し使用する。皮革製の拭き具は、オイル及び汚れの拭き取り性能に優れるが、洗濯、乾燥を繰り返すと表面が荒れるため、ある程度使用すると廃棄される場合が多い。
【０００６】
本考案の目的は、オイル・汚れの拭き取り性能に優れ経済的なボウリングボール拭き具を提供することである。
【課題を解決するための手段】
【０００７】
本考案は、ボウリングボールに付着した油、汚れを拭き取る可撓性を有するボウリングボール拭き具であって、前記油、汚れを拭き取る拭き面部を備える拭き体と、手挿入部を備え、前記拭き体に着脱可能に連結する持ち手体と、前記拭き体と前記持ち手体とを着脱可能に連結する連結手段と、を備えることを特徴とするボウリングボール拭き具である。
【０００８】
本考案のボウリングボール拭き具は、前記拭き面部の材質が、皮革、布、不織布、マイクロファイバークロスのいずれか１種であり、前記連結手段が、面ファスナ、ラインファスナ、スナップボタン、ホック、マグネットのいずれか１種又は２種以上であることを特徴とする。
【０００９】
本考案のボウリングボール拭き具において、前記拭き体は、平板状であり、一方の面に前記拭き面部を有し、他方の面に面ファスナを有し、前記持ち手体は、平板状であり、一方の面に前記手挿入部を有し、他方の面に前記拭き体の面ファスナに着脱自在にくっつく面ファスナを有し、前記拭き体の面ファスナと前記持ち手体の面ファスナとで前記連結手段を構成することを特徴とする。
【００１０】
本考案のボウリングボール拭き具は、さらに可撓性調整材を備え、前記可撓性調整材により可撓性が調整されていることを特徴とする。
【考案の効果】
【００１１】
本考案によれば、オイル・汚れの拭き取り性能に優れ経済的なボウリングボール拭き具を提供することができる。
【図面の簡単な説明】
【００１２】
【図１】本考案の第１実施形態のボウリングボール拭き具１の外観図である。
【図２】本考案の第１実施形態のボウリングボール拭き具１を拭き体１１と持ち手体３１とに分離した平面図である。
【図３】本考案の第１実施形態のボウリングボール拭き具１の構造を説明するための断面図である。
【図４】本考案の第１実施形態のボウリングボール拭き具１の使用時の状態を示す外観図である。
【図５】本考案の第１実施形態のボウリングボール拭き具１の連結手段５１の変形例である。
【図６】本考案の第２実施形態のボウリングボール拭き具２を手挿入部４５側から見た外観図及びボウリングボール拭き具２の使用時の状態を示す外観図である。
【図７】本考案の第３実施形態のボウリングボール拭き具３の構成を説明するための図である。
【図８】本考案の第４実施形態のボウリングボール拭き具４の構成を説明するための平面図である。
【考案を実施するための形態】
【００１３】
図１は、本考案の第１実施形態のボウリングボール拭き具１の外観図であり、（Ａ）は、拭き面部２１側から見た外観図、（Ｂ）は、手挿入部４５側から見た外観図である。図２は、本考案の第１実施形態のボウリングボール拭き具１を拭き体１１と持ち手体３１とに分離した平面図、図３は、本考案の第１実施形態のボウリングボール拭き具１の構造を説明するための断面図であり、理解を容易にするため模式化している。図４は、ボウリングボール拭き具１の使用時の状態を示す外観図である。
【００１４】
本考案の第１実施形態のボウリングボール拭き具１は、ボウリングボールに付着した油、埃、ごみなどの汚れを拭き取る可撓性を有するボウリングボール拭き具であり、油、汚れを拭き取る拭き面部２１を備える拭き体１１と、手挿入部４５を備え、拭き体１１と着脱可能に連結する持ち手体３１と、拭き体１１と持ち手体３１とを着脱可能に連結する連結手段５１と、を備える。
【００１５】
拭き体１１は、皮革（皮）製で円板形状の拭き面部材１３に、面ファスナ５３が接合されてなる。本実施形態の拭き体１１の形状は、平面視における形状が円であるが、拭き体１１の形状は、円に限定されるものではなく、楕円形、四角形、多角形であってもよい。拭き体１１の大きさも特に限定されるものではないが、代表的には直径１８ｃｍ、１５ｃｍ、２１ｃｍであり、直径１８ｃｍ程度のものが使い易い。
【００１６】
拭き面部材１３は、ボウリングボールに付着した油、汚れを拭き取る部材であり、拭き面部材１３の表面（おもて面）がボウリングボールに接し、付着した油、汚れを拭き取る拭き面部２１となる。拭き面部材１３として使用する皮革は、油、汚れを十分に拭き取ることができればよく、天然皮革、人工皮革、合成皮革であってもよい。使用する皮革は、耐久性を備え、入手容易で安価なものが好ましい。
【００１７】
面ファスナ５３は、フックを有する面ファスナであり、持ち手体３１に設けられたループを有する面ファスナ５５とで連結手段５１を構成する。面ファスナ５３は、拭き面部材１３と同じ大きさ、形状を有し、拭き面部材１３に重ね合わせ、外周縁部近傍が糸７１で縫合されている。ここで使用する面ファスナ５３、５５は、特に限定されるものではなく公知の面ファスナを使用することができる。ここで面ファスナ５３がループを有する面ファスナであり、面ファスナ５５がフックを有する面ファスナであってもよい。また他の構造の面ファスナであってもよい。
【００１８】
拭き面部材１３と面ファスナ５３との接合方法は、外周縁部近傍を糸７１で縫合する方法に限定されるものではない。接着剤、あるいは接着剤と糸７１の縫合との併用、その他の接合・接着手段を用いて拭き面部材１３と面ファスナ５３とを接合・接着してもよいが、拭き面部材１３の油、汚れ拭き取り性能を低下させないことが重要である。またボウリングボールに接し、ボウリングボールの表面を傷つける恐れのある接合・接着手段は好ましくない。
【００１９】
以上からなる拭き体１１は、表面（おもて面）全面が皮革製の拭き面部２１で、裏面全面が面ファスナ５３からなる着脱面部であり、適度な硬さ及び可撓性を有する。
【００２０】
本実施形態では、面ファスナ５３の形状、大きさが拭き面部材１３と同じであるが、面ファスナ５３の大きさが拭き面部材１３よりも小さく、また形状が不一致であってもよい。図５は、本考案の第１実施形態のボウリングボール拭き具１の連結手段５１の変形例である。図５（Ａ）は、リング状の面ファスナ５３、５５であり、外径が拭き面部材１３、基材３３と同じであり、中心部が空間となっている。図５（Ｂ）は、帯状の面ファスナ５３、５５で複数個間隔を開けて取付けられている。要すれば面ファスナ５３は、面ファスナ５５と協働し、ボウリングボールに付着した油、汚れを拭き取る際に拭き体１１が持ち手体３１から外れないように確実に連結することができればよい。
【００２１】
持ち手体３１は、皮革製で円板形状の基材３３に、面ファスナ５５が接合されてなる。持ち手体３１の大きさ、形状は、拭き体１１の大きさ、形状と同じである。基材３３は、面ファスナ５５を支持するとともに、ポケット部材４１が取付けられ手挿入部４５を形成する。持ち手体３１の素材は、特に限定されるものではないが、面ファスナ５５を接合し持ち手体３１としたとき、持ち手体３１が適度な硬さ及び可撓性を有するものを選択し使用する。
【００２２】
ポケット部材４１は、基材３３の約半分の大きさで半円状の形状を有する皮革であり、手挿入口を除く外周縁が糸７１で基材３３に縫合されている。ポケット部材４１の大きさ、形状は、特に限定されるものではなく手挿入部４５を形成することができればよい。またポケット部材４１の素材・材質も特に限定されるものではなく、基材３３とポケット部材４１との素材・材質が異なっていてもよい。
【００２３】
面ファスナ５５は、ループを有する面ファスナであり、拭き体１１に設けられたフックを有する面ファスナ５３に着脱自在に連結する。面ファスナ５５は、基材３３と同じ大きさ、形状を有し、基材３３に重ね合わせ、外周縁部近傍が糸７１で縫合されている。基材３３と面ファスナ５５との接合要領、面ファスナ５５の形状、大きさについては、拭き面部材１３と面ファスナ５３との接合要領、及び面ファスナ５３の形状、大きさと同様に考えればよい。
【００２４】
以上からなる持ち手体３１は、表面（おもて面）に手挿入部４５を備え、裏面全面が面ファスナ５５からなる着脱面部であり、適度な硬さ及び可撓性を有する。
【００２５】
第１実施形態のボウリングボール拭き具１は、拭き体１１の裏面の面ファスナ５３と持ち手体３１の裏面の面ファスナ５５とを重ね合わせ連結させ使用する。ボウリングボールに付着した油、汚れを拭き取った結果、拭き面部２１に油又は汚れが蓄積された場合は、拭き体１１を持ち手体３１から外し、洗濯、乾燥させ再使用するか、汚れた拭き体１１を廃棄し新たな拭き体１１に取り替えて使用する。
【００２６】
第１実施形態のボウリングボール拭き具１は、可撓性を有し、拭き体１１の表面（おもて面）全面が皮革製の拭き面部２１であるため、使用時に拭き面部２１がボウリングボールに幅広く接する。このためオイル・汚れの拭き取り性能に優れ、また効率的にオイル・汚れを拭き取ることができる。またボウリングボールに付着した油、汚れを拭き取る拭き体１１が汚れて廃棄する場合であっても持ち手体３１は繰り返し使用することができるので経済的である。
【００２７】
図６は、本考案の第２実施形態のボウリングボール拭き具２であり、図６（Ａ）は、ボウリングボール拭き具２を手挿入部４５側から見た外観図、図６（Ｂ）は、ボウリングボール拭き具２の使用時の状態を示す外観図である。図１から図５に示す本考案の第１実施形態のボウリングボール拭き具１と同一の構成には同一の符号を付して説明を省略する。
【００２８】
第２実施形態のボウリングボール拭き具２は、第１実施形態のボウリングボール拭き具１に比べて一回り小さいサイズのボウリングボール拭き具であり、構成、構造は、第１実施形態のボウリングボール拭き具１と基本的に同じである。第２実施形態のボウリングボール拭き具２では、手挿入部４５を形成する部材にベルト４２を使用している。ベルト４２の形状、素材、大きさ、基材３３への接合方法は、特に限定されるものではなく手挿入部４５を形成することができればよい。
【００２９】
第２実施形態のボウリングボール拭き具２の使用方法、作用効果は、第１実施形態のボウリングボール拭き具１の使用方法、作用効果と同じである。なお、第２実施形態のボウリングボール拭き具２の大きさは、特定に限定されるものではなく、第１実施形態のボウリングボール拭き具１と同じ大きさであってもよい。
【００３０】
図７は、本考案の第３実施形態のボウリングボール拭き具３の構成を説明するための図であり、ボウリングボール拭き具３を手挿入部４５側から見た破断面図である。図１から図５に示す本考案の第１実施形態のボウリングボール拭き具１と同一の構成には同一の符号を付して説明を省略する。
【００３１】
第３実施形態のボウリングボール拭き具３は、第１実施形態のボウリングボール拭き具１と同様に拭き体１１と、手挿入部４５を備え、拭き体１１と着脱可能に連結する持ち手体３１と、拭き体１１と持ち手体３１とを着脱可能に連結する連結手段６１と、を備える。
【００３２】
第３実施形態のボウリングボール拭き具３は、拭き体１１と持ち手体３１との連結手段としてラインファスナ６１を用いる。ラインファスナ６１は、拭き体１１及び持ち手体３１の側面に取付けられ、ラインファスナ６１を外すと拭き体１１と持ち手体３１とが分離する。拭き体１１及び持ち手体３１の側面には、ラインファスナ６１を覆うようにカバー６２が設けられている。これは使用中に誤ってラインファスナ６１がボウリングボールに接触し、ボウリングボールを傷付けることを防止するためである。
【００３３】
第３実施形態のボウリングボール拭き具３では、拭き体１１は、面ファスナ５３の代わりに拭き体１１の硬さ、可撓性を調整するための平板状の可撓性調整材１５が拭き面部材１３に糸７１で縫合されている。これは拭き体１１を拭き面部材１３のみで構成すると、ボウリングボール拭き具３の硬さが柔らか過ぎるためである。可撓性調整材１５の素材は特に限定されるものではなく、皮革、布など適度な硬さ、可撓性を有するものを使用することができ、大きさも適宜選択し使用することができる。一方、持ち手体３１には、面ファスナ５５に代わる可撓性調整材は設けられていない。
【００３４】
ボウリングボール拭き具３は、拭き体１１と持ち手体３１とを連結し使用するものであるから、拭き体１１、持ち手体３１それぞれ単独の硬さ、可撓性よりも拭き体１１と持ち手体３１とを連結したときの硬さ、可撓性が重要である。第３実施形態のボウリングボール拭き具３において、拭き体１１に可撓性調整材１５を取付けない場合であってもボウリングボール拭き具３が適度な硬さ、可撓性を備えるのであれば可撓性調整材１５は不要である。拭き体１１に可撓性調整材１５を取付けてもなおボウリングボール拭き具３が柔らか過ぎる場合には、持ち手体３１にも可撓性調整材１５を取付けてもよい。
【００３５】
以上のように可撓性調整材１５は、ボウリングボール拭き具を適度な硬さ、可撓性に調整するための部材であり、第３実施形態のボウリングボール拭き具３のみならず他の実施形態のボウリングボール拭き具にも適用できる。例えば第１実施形態のボウリングボール拭き具１であれば、拭き面部材１３と面ファスナ５３、基材３３と面ファスナ５５との間に可撓性調整材１５を挟み込み縫合してもよい。
【００３６】
図８は、本考案の第４実施形態のボウリングボール拭き具４の構成を説明するための平面図である。図１から図５に示す本考案の第１実施形態のボウリングボール拭き具１と同一の構成には同一の符号を付して説明を省略する。
【００３７】
第４実施形態のボウリングボール拭き具４は、第１実施形態のボウリングボール拭き具１と同様に拭き体１１と、手挿入部４５を備え、拭き体１１と着脱可能に連結する持ち手体３１と、拭き体１１と持ち手体３１とを着脱可能に連結する連結手段６５と、を備える。
【００３８】
ボウリングボール拭き具４の拭き体１１は、拭き面部材１３と平板状の可撓性調整材１５とが糸７１で縫合されてなる。またボウリングボール拭き具４の持ち手体３１は、基材３３と平板状の可撓性調整材１５とが糸７１で縫合されてなり、ポケット部材４１が取付けられている。可撓性調整材１５の考え方は、第３実施形態のボウリングボール拭き具３と同じであるため説明を省略する。
【００３９】
第４実施形態のボウリングボール拭き具４は、拭き体１１と持ち手体３１との連結手段として縫い付けタイプのスナップボタン６５を用いる。拭き体１１の裏面１７にオスのスナップボタン６６、持ち手体３１の裏面３４にメスのスナップボタン６７が縫い付けられている。スナップボタン６５を外すと、拭き体１１と持ち手体３１とが分離する。スナップボタン６５の大きさ、取付け個数は、ボウリングボール拭き具４の大きさに合わせて適宜選択すればよい。
【００４０】
第３実施形態のボウリングボール拭き具３では、拭き体１１と持ち手体３１との連結手段としてラインファスナ６１を、第４実施形態のボウリングボール拭き具４では、拭き体１１と持ち手体３１との連結手段としてスナップボタン６５を用いており、第１実施形態のボウリングボール拭き具１と連結手段が異なるが、ボウリングボール拭き具３、４の使用方法、作用効果は、第１実施形態のボウリングボール拭き具１の使用方法、作用効果と基本的に同じである。
【００４１】
以上、第１から第４実施形態のボウリングボール拭き具１、２、３、４を用いて本考案に係るボウリングボール拭き具を具体的に説明したが、本考案に係るボウリングボール拭き具は上記実施形態に限定されるものではなく、要旨を変更しない範囲で変更し使用することができる。
【００４２】
上記実施形態では、拭き面部材１３が皮革（革）製であるが、拭き面部材１３は、ボウリングボールを傷付けることなく油、汚れを十分に拭き取ることができればよく皮革（皮）製以外の素材・材質であってもよい。拭き面部材１３の皮革（皮）製以外の素材・材質としては、布、不織布、マイクロファイバークロスなどがある。
【００４３】
上記実施形態では、拭き体１１と持ち手体３１との連結手段として面ファスナ、ラインファスナ、スナップボタンを示したが、連結手段は、拭き体１１と持ち手体３１とを着脱自在に連結し、ボウリングボールを拭くとき拭き体１１と持ち手体３１とが外れることなく連結状態を維持できるものであれば上記以外のものであってもよい。上記以外の連結手段としてはホック、マグネットがある。連結手段としてマグネットを用いる場合、持ち手体３１側にマグネットを、拭き体１１に鉄などの強磁性体を取付けるのが好ましい。連結手段は、ラインファスナとスナップボタンなど２種類、あるいは３種以上の連結手段を一緒に使用してもよい。
【００４４】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００４５】
１，２，３，４  ボウリングボール拭き具
１１  拭き体
１３  拭き面部材
１５  可撓性調整材
１７  拭き体の裏面
２１  拭き面部
３１  持ち手体
３３  基材
３４  持ち手体の裏面
４１  ポケット部材
４２  ベルト
４５  手挿入部
５１  連結手段
５３  面ファスナ
５５  面ファスナ
６１  連結手段，ラインファスナ
６２  カバー
６５  連結手段，スナップボタン
６６  スナップボタン
６７  スナップボタン
７１  糸
【図１】
0003234353.tif 000003
【図２】
0003234353.tif 000004
【図３】
0003234353.tif 000005
【図４】
0003234353.tif 000006
【図５】
0003234353.tif 000007
【図６】
0003234353.tif 000008
【図７】
0003234353.tif 000009
【図８】
0003234353.tif 000010